(57)【要約】【課題】  本発明は、作業者が安全かつ作業負担なく電線ヒューズを取り替えることのできる電線ヒューズの取替作業補助工具を提供することにある。【解決手段】  ヒューズ把持部材４と、電線把持部材５ａ、５ｂと、支持部材１とを備えており、ヒューズ把持部材４は、ヒューズ２１ａ，２１ｂを把持するものであり、電線把持部材５ａ，５ｂは、電線２０の任意の箇所を把持するものであり、支持部材１は、所定の長さを有し、長手方向の中間部にヒューズ把持部材４を取り付けてあり、ヒューズ把持部材４の両側には、電線把持部材５ａ，５ｂがそれぞれ取り付けてあることを特徴とする。【選択図】      図１
2017016964.tif 000002
【特許請求の範囲】
【請求項１】
ヒューズ把持部材と、電線把持部材と、支持部材とを備えており、
ヒューズ把持部材は、ヒューズを把持するものであり、電線把持部材は、電線の任意の箇所を把持するものであり、支持部材は、所定の長さを有し、長手方向の中間部にヒューズ把持部材を取り付けてあり、ヒューズ把持部材の両側には、電線把持部材がそれぞれ取り付けてあることを特徴とする電線ヒューズの取替作業補助工具。
【請求項２】
支持部材は、ヒューズ把持部材と各電線把持部材の取り付けてある箇所の間に揺動部が設けてあり、揺動部によって電線把持部材を取り付けた箇所の向きを自在に変更できることを特徴とする請求項１記載の電線ヒューズの取替作業補助工具。
【発明の詳細な説明】
【技術分野】
【０００１】
本発明は、低圧配電の活線工事において、電線ヒューズの取替作業補助工具に関するものである。
【背景技術】
【０００２】
架空電線に接続する引き込み線に定格以上の電流が流れたときに、発火やそれに伴う火災などを防止するため、引き込み線の接続区間の任意の箇所にはヒューズが取り付けられている。
【先行技術文献】
【特許文献】
【０００３】
【特許文献１】特開２０１２−１９５２０７号公報
【発明の開示】
【発明が解決しようとする課題】
【０００４】
上記のような状況では、ヒューズが溶断や経年劣化をしたときに新規のものに取り替える交換作業が行われる。具体的には、作業者がヒューズを直に掴み、そのヒューズの両側に接続される電線を切断することにより、溶断または経年劣化したヒューズを取り出して新しいものに交換するものであった。ところが、ヒューズを掴みながら作業を行うことは作業者にとって大変負担なものであり、作業中に作業者の手から不意に落下させる危険性があった。さらに、ヒューズを掴んで電線を切断したときに切断端部が跳ね、切断後は切断された電線の切断端部が不安定にフラついた状態となる。この状態の切断端部が作業者に接触して感電事故を起こす懸念もあった。
また、既設のものを取り外した後のヒューズの再接続の際も、作業者がヒューズを片手で掴み、もう片方の手で重量のある圧縮工具を用いて作業を行うことから、作業者への負担、片手持ちによるヒューズの落下および片手作業によるヒューズ接続時の施工不良の危険が伴うものであった。
【０００５】
本発明は上記課題を鑑みてなされたものであり、作業者が安全かつ作業負担なく電線ヒューズを取り替えることのできる電線ヒューズの取替作業補助工具を提供することにある。
【課題を解決するための手段】
【０００６】
本発明のうち請求項１記載の発明は、ヒューズ把持部材と、電線把持部材と、支持部材とを備えており、ヒューズ把持部材は、ヒューズを把持するものであり、電線把持部材は、電線の任意の箇所を把持するものであり、支持部材は、所定の長さを有し、長手方向の中間部にヒューズ把持部材を取り付けてあり、ヒューズ把持部材の両側には、電線把持部材がそれぞれ取り付けてあることを特徴とする。
【０００７】
本発明のうち請求項２記載の発明は、支持部材は、ヒューズ把持部材と各電線把持部材の取り付けてある部分の間に揺動部が設けてあり、揺動部によって電線把持部材を取り付けた部分の向きを自在に変更できることを特徴とする。
【発明の効果】
【０００８】
本発明のうち請求項１記載の発明によれば、支持部材に取り付けてあるヒューズ把持部材でヒューズを把持し、さらに、ヒューズ把持部材の両側に配置してある各電線把持部材で電線を把持する。これにより、ヒューズ取り外しの際、電線とヒューズが支持部材で一続きに把持されるので、一方の電線把持部材とヒューズ把持部材とで把持された箇所の間にある電線箇所の切断時に、ヒューズと電線がそれぞれ把持されたままなので、作業者が手を離してもヒューズが落下せず、さらに、各電線把持部材による電線の固定によって、電線端部の跳ねやフラつきを緩和できる。したがって、電線端部が作業者に接触する危険性が低くなり、安全な作業をすることができる。また、既設のものを取り外した後のヒューズの再接続の際も、新しいヒューズをヒューズ把持部材に予め固定しておくことで、ヒューズの不意な落下を防止でき、且つ圧縮工具を両手で掴みながら安定した正確な作業を行うことができる。これにより、作業者の負担軽減、ならびにヒューズ取り付け後の施工不良を防ぐことができる。
【０００９】
本発明のうち請求項２記載の発明によれば、支持部材の電線把持部材を取り付けた部分が揺動部によって揺動することから、電線把持部材の向きを自在に変えることができ、電線の湾曲状況に左右されること無く、電線を把持してしっかりと固定することができる。
【図面の簡単な説明】
【００１０】
【図１】本実施による電線ヒューズの取替作業補助工具の使用状態を示す正面図である。
【図２】本実施による電線ヒューズの取替作業補助工具を示す（ａ）は、斜視図であり、（ｂ）は、揺動部を拡大して曲げた状態を示す一部縦断面図である。
【図３】本実施による電線ヒューズの取替作業補助工具の（ａ）は、ヒューズ把持部材の拡大図であり、（ｂ）は、電線把持部材の拡大図である。
【図４】（ａ）〜（ｄ）は、本実施による電線ヒューズの取替作業補助工具の使用手順を示す簡略化した正面図である。
【図５】（ａ）（ｂ）は、本発明の電線ヒューズの取替作業補助工具の他の実施形態を示す把持部材の正面図である。
【発明を実施するための最良の形態】
【００１１】
以下、本発明の電線ヒューズの取替作業補助工具の実施形態を図面に基づいて説明する。
ここで、本実施によるものは、一般家庭や事業所への引き込み線（以下、電線と記載する）に取り付けてある既設のヒューズ２１ａを新規のヒューズ２１ｂに交換する場合を想定したものである。
本実施による電線ヒューズの取替作業補助工具は、図１に示すように、支持部材１と、ヒューズ把持部材４と、電線把持部材５ａ，５ｂとから構成している。
尚、図１中の符号２３は電柱であり、また、符号２４はアームである。
【００１２】
支持部材１は、図２（ａ）（ｂ）に示すように、棒状をなす把持部材被取付部２ａ，２ｂ、２ｃと、可撓性を有する揺動部３ａ，３ｂとで構成されており、三本の把持部材被取付部２ａ，２ｂ、２ｃは、二つの揺動部３ａ，３ｂでそれぞれを一直線状に連結したものである。各々の把持部材被取付部２ａ，２ｂ、２ｃは、長さが数十センチ程度の丸棒状をなしており、その外周面が絶縁素材で形成してある。揺動部３ａ，３ｂは、自在に曲がる可撓体１１の外周にゴム等の絶縁材料で成形した収縮チューブ１２を被覆したものである。また、把持部材被取付部２ａ，２ｂ、２ｃと揺動部３ａ，３ｂは、平行ピン２２で固定してあり、その固定箇所は上記の収縮チューブ１２で被覆されることで支持部材１の絶縁性を確保している。
【００１３】
ヒューズ把持部材４は、図３（ａ）のように、器具受け部６と、器具押圧部７と、支持部材取付部８とからなっている。器具受け部６は、一方側押さえ片６ａと他方側押さえ片６ｂと連結片６ｃとから、ほぼコ字型をなしており、その開放側から既設のヒューズ２１ａを受け入れることができる。器具押圧部７は、ボルト状をなしている。さらに、器具押圧部７の長手方向の一端部には、既設のヒューズ２１ａを押すための当接部９を有しており、長手方向の他端部には、回転ツマミ１０を有している。そして、器具押圧部７は、器具受け部６の一方側押さえ片６ａと他方側押さえ片６ｂのいずれかに挿通しており、当接部９は、器具受け部６を構成する各片６ａ〜６ｃの内周側に配置している。支持部材取付部８は、支持部材１の三本の各把持部材被取付部２ａ〜２ｃのうち、真ん中に配置する把持部材被取付部２ｂに取り付けてある。また、支持部材取付部８は、器具受け部６の連結片６ｃに設けてあり、各把持部材被取付部２ａ〜２ｃを挿通できるようにリング状をなしている。さらに、把持部材被取付部２ｂは、支持部材取付部８と平行ピン２２で固定してあり、把持部材被取付部２ａ、２ｃは支持部材取付部８に挿通のみ行い、各把持部材被取付部２ａ〜２ｃをガイドとして移動できる状態としてある。
【００１４】
電線把持部材５ａ，５ｂは、図３（ｂ）のように、本実施形態では上記のヒューズ把持部材４とほぼ同一の構造をなすものであるから、その詳細な説明については省略する。そして、ヒューズ把持部材４と相違する構成は、電線２０との当接部９の当接面９ａが凹凸状となっており、電線２０をしっかりと把持できる構造となっている。
【００１５】
上記のように構成する電線ヒューズの取替作業補助工具は、以下のように使用される。
第一の手順として、図３（ａ）と図４（ａ）のように、ヒューズ把持部材４の器具受け部６の内周側に既設のヒューズ２１ａを差し入れ、一方側押さえ片６ａと他方側押さえ片６ｂと連結片６ｃで囲む状態とする。さらに、作業者が手で直接、器具押圧部７の回転ツマミ１０を回すことで、器具押圧部７が既設のヒューズ２１ａのある側へ締め込まれていく。そして、当接部９が既設のヒューズ２１ａに当接して締め込み度合いによって次第に押圧力を付与していくことで、ヒューズ把持部材４による既設のヒューズ２１ａの把持が完了する。
第二の手順として、図３（ｂ）と図４（ｂ）のように、電線２０の撓みに対応して支持部材１の揺動部３ａ，３ｂを曲げ、支持部材１の両側の把持部材被取付部２ａ，２ｃに取り付けてある各電線把持部材５ａ，５ｂをそれぞれ電線２０の近傍に沿わせる。さらに、電線把持部材５ａ，５ｂの器具受け部６の内周側に電線２０を受け入れるとともに、器具押圧部７の回転ツマミ１０を回すことで、器具押圧部７の先端にある当接部９が電線２０に当って押圧する。これにより、電線把持部材５ａ，５ｂは電線２０を把持することになる。
第三の手順として、図３（ａ）と図４（ｃ）のように、ヒューズ把持部材４に把持された既設のヒューズ２１ａの両側に接続している各電線２０をそれぞれ切断する。さらに、ヒューズ把持部材４の器具押圧部７の回転ツマミ１０を緩めることにより、当接部９が離れて既設のヒューズ２１ａを取り出す。
第四の手順として、図４（ｄ）のように、一方の電線把持部材５ａに把持された電線２０の端部を、ヒューズ把持部材４に把持した新規のヒューズ２１ｂの一方の端子に差し込んで加締める。さらに、他方の電線把持部材５ｂに把持された電線２０の端部を新規のヒューズ２１ｂの他方の端子に差し込んで加締めることで、既設のヒューズ２１ａから新規のヒューズ２１ｂへの取替作業が完了する。
【００１６】
上記のように本実施による電線ヒューズの取替作業補助工具を使用することで、以下に示す作用効果を奏することになる。
本実施の電線ヒューズの取替作業補助工具は、支持部材１の長手方向の両側部にそれぞれ電線把持部材５ａ，５ｂを取り付けるとともに、両電線把持部材５ａ，５ｂ間にヒューズ把持部材４を取り付けている。さらに、電線２０の彎曲に沿って支持部材１の揺動部３ａ，３ｂをそれぞれ曲げ、対応する把持部材被取付部２ａ，２ｃを電線２０に対して任意の位置へ自在に向けさせることができるので、ヒューズ把持部材４とその両側に配置してある電線把持部材５ａ，５ｂを既設のヒューズ２１ａと電線２０に把持しやすくなる。そして、ヒューズ把持部材４で既設のヒューズ２１ａを把持し、ヒューズ把持部材４の両側に配置された電線把持部材５ａ，５ｂでそれぞれ電線２０を把持している。これにより、両電線把持部材５ａ，５ｂの間であれば、電線２０のどの箇所を切断してもヒューズ把持部材４と電線把持部材５ａ，５ｂのすべてが支持部材１で一続きに支持されていることにより、ヒューズ把持部材４に把持された既設のヒューズ２１ａが落下せず、さらに、電線把持部材５ａ，５ｂに把持された電線２０の切断された電線端部が不安定に垂れ下がらなくなる。したがって、作業者は、既設のヒューズ２１ａを手で支えることなく、両側の電線２０を切断する作業のみで、既設のヒューズ２１ａを取り出すことができる。さらに、新規のヒューズ２１ｂをヒューズ把持部材４に把持してから電線２０を接続できることから、新規のヒューズ２１ｂを再接続するときも安全に作業が行える。また、電線把持部材５ａ，５ｂで電線２０を把持していることから、切断した電線２０の端部が不安定に垂れ下がって揺れ動くことがないので、作業者は作業中の感電事故に気を払うことなく既設のヒューズ２１ａの取り替えに専念することができる。
【００１７】
本発明の電線ヒューズの取替作業補助工具は、上記の実施形態に限定されるものではなく、特許請求の範囲内で適宜変更できる。
ヒューズ把持部材４及び電線把持部材５ａ，５ｂは、上記実施形態では既設のヒューズ２１ａや電線２０を器具受け部６に受け入れ、さらに、器具押圧部７で締め込んで押圧力により把持するものが記載されている。それ以外に、図５（ａ）のように、既設のヒューズ２１ａや電線２０を弾性的且つスナップ式に把持して着脱できるもの、あるいは、図５（ｂ）のように、クリップ式に挟んで把持するものでもよく、既設のヒューズ２１ａや電線２０を簡単に把持できる構造のものであればよい。また、支持部材１は、現場によって揺動部３ａ，３ｂを必ずしも設けなくてもよく、把持部材被取付部２ａ〜２ｃのみから構成されるものでも使用できる。
【符号の説明】
【００１８】
１  支持部材
２ａ，２ｂ，２ｃ  把持部材被取付部
３ａ，３ｂ  揺動部
４  ヒューズ把持部材
５ａ，５ｂ  電線把持部材
６  器具受け部
７器具押圧部
８  支持部材取付部
９  当接部
９ａ  当接面
１０  回転ツマミ
１１  可撓体
１２  収縮チューブ
２０  電線
２１ａ  既設のヒューズ（ヒューズ）
２１ｂ  新規のヒューズ（ヒューズ）
２２  平行ピン
２３  電柱
２４  アーム
【図１】
2017016964.tif 000003
【図２】
2017016964.tif 000004
【図３】
2017016964.tif 000005
【図４】
2017016964.tif 000006
【図５】
2017016964.tif 000007